(57)【要約】      （修正有）【課題】ティッシュボックスからティッシュペーパーを他の容器に移し替える必要がなく、ボックス本体は再利用でき、かつ、ペーパーを引出し易いティッシュボックス、及びティッシュボックスの組合せ体を提供する。【解決手段】ティッシュボックス１を構成するボックス本体２は、箱型の容器３と、容器の上面に設けられ、略中央にペーパー引出し口を開口可能に形成した蓋部４と、蓋部に適宜の幅の枠４Ｃを残して開口可能に形成した開口部５とから構成してある。ボックス本体内には、非圧縮状態で積層した複数枚のティッシュペーパー７を順次引き出し可能に収納している。蓋部の１部を切り離して形成した開口部５からボックス本体内のティッシュペーパー上にペーパー取出し口６Ａを有するペーパー押え板６を載置する。ボックス本体はペーパー押え板の重量により浮き上がることがなく、かつ非圧縮状態で積層してあるのでペーパーを１枚毎確実に引き出すことができる。【選択図】図２
0003188596.tif 000002
【実用新案登録請求の範囲】
【請求項１】
積層した複数枚のティッシュペーパーを順次引き出し可能に収納するボックス本体は、箱型の容器と、該容器の上面に設けられ、略中央にペーパー引出し口を開口可能に形成した蓋部と、該蓋部に適宜の幅の枠を残して開口可能に形成した開口部とから構成し、該開口部から前記ボックス本体内のティッシュペーパー上にペーパー取出し口を有するペーパー押え板を載置するようにしてなるティッシュボックス。
【請求項２】
前記開口部の最小開口幅に対し、前記ペーパー押え板は縦方向及び横方向のいずれかの幅を大きくし、かつ前記ペーパー取出し口は該ペーパー押え板の長軸に対して傾斜させて形成してあることを特徴とする請求項１記載のティッシュボックス。
【請求項３】
前記開口部は長方形に形成し、該開口部に挿脱する前記ペーパー押え板は開口部と略同形に形成し、かつ前記ペーパー取出し口は該ペーパー押え板の長軸に対して傾斜させて形成してあることを特徴とする請求項１記載のティッシュボックス。
【請求項４】
前記ボックス本体に収納するティッシュペーパーは非圧縮状態で収納してあることを特徴とする請求項１記載のティッシュボックス。
【請求項５】
請求項１記載のティッシュボックスとペーパー押え板、並びに複数個のティッシュペーパー束を包装材により一体に包装して構成し、該ティッシュボックスのボックス本体に前記ティッシュペーパー束を補充するようにしてなるティッシュボックスの組合せ体。
【考案の詳細な説明】
【技術分野】
【０００１】
本考案は、ティッシュペーパーを引き出す時にボックス本体が浮き上らないので使い勝手がよく、またボックス本体の再利用を可能にして省資源化、低価格化を図ることができるティッシュボックス、及びティッシュボックスの組合せ体に関する。
【背景技術】
【０００２】
ティッシュボックスを構成する厚紙製のボックス本体はさほど重さが無いこと、ボックス本体内にはティッシュペーパーを上下の一部を折り込んだ状態で圧縮して積層してあり、ティッシュペーパーを引き出す時にはペーパーの抵抗を受けてボックス本体が浮き上がって取り出し難いという問題がある。そこで、上方が開放したケース本体２と、このケース本体２内に収めたペーパーの引出し口３ａを有する重量のある蓋３とから構成したティッシュペーパーケース１が提案されている（特許文献１）。
【先行技術文献】
【特許文献】
【０００３】
【特許文献１】登録第３００３３９２号実用新案公報
【考案の概要】
【考案が解決しようとする課題】
【０００４】
上述した先行技術は、ボックス本体からティッシュペーパーの束をケース本体２に移し替える手間を要する、ティッシュペーパーケース１を別途購入する必要がある、ティッシュペーパーを移し替えて空になったボックス本体２は廃棄するので資源の無駄であるし、コスト増の原因になっている、という問題がある。
【０００５】
また、従来のティッシュボックスはティッシュペーパーを圧縮して収納しているためにコストが嵩む、引出す際のペーパーの抵抗が大きくボックス本体が浮き上がり易い、ペーパーが連結して引き出されるという問題がある。
【０００６】
本考案は上述した従来技術の諸欠点に鑑みなされたもので、購入時のティッシュボックスからティッシュペーパーを別の容器に移し替える必要がないので面倒がなく、ボックス本体は再利用するので他の容器の購入が不要であるし、ペーパーを圧縮しないので引出し易く、省資源化とコストの低減化を図ることができるティッシュボックス、及びティッシュボックスの組合せ体を提供することを目的とする。
【課題を解決するための手段】
【０００７】
上述した課題を解決するために構成した本考案の手段は、積層した複数枚のティッシュペーパーを順次引き出し可能に収納するボックス本体は、箱型の容器と、該容器の上面に設けられ、略中央にペーパー引出し口を開口可能に形成した蓋部と、該蓋部に適宜の幅の枠を残して開口可能に形成した開口部とから構成し、該開口部から前記ボックス本体内のティッシュペーパー上にペーパー取出し口を有するペーパー押え板を載置するようにしたものからなる。
【０００８】
そして、前記開口部の最小開口幅に対し、前記ペーパー押え板は縦方向及び横方向のいずれかの幅を大きくし、かつ前記ペーパー取出し口は該ペーパー押え板の長軸に対して傾斜させて形成するとよい。
【０００９】
また、前記開口部は長方形に形成し、該開口部に挿脱する前記ペーパー押え板は該開口部と略同形に形成し、かつ前記ペーパー取出し口は該ペーパー押え板の長軸に対して傾斜させて形成するとよい。
【００１０】
また、前記ボックス本体に収納するティッシュペーパーは非圧縮状態で収納するとよい。
【００１１】
更に、請求項１記載のティッシュボックスとペーパー押え板、並びに複数個のティッシュペーパー束を包装材により一体に包装して構成し、該ティッシュボックスのボックス本体に前記ティッシュペーパー束を補充するようにするとよい。
【考案の効果】
【００１２】
本考案は上記の如く構成したから、下記の諸効果を奏する。
（１）ボックス本体内にティッシュペーパーを引出すペーパー押え板を載置する構成にしたから、ティッシュペーパーを他の容器に移し替える手間を省くことができるし、ボックス本体を無駄に廃棄することも解消でき、省資源化とコスト低減を図ることができる。
（２）ペーパー取出し口はペーパー押え板の長軸に対して傾斜させて形成してあるから、ペーパー押え板はボックス本体に対して傾斜した状態に係止するのでティッシュペーパーを引出す際に、ボックス本体から抜け出すことがない。
（３）ティッシュペーパーはボックス本体に非圧縮状態で収納するから、ティッシュペーパーが連結して引き出されることなく確実に１枚毎引出すことができる。また、ペーパー押え板をボックス本体内に載置する際の面倒が無い。
（４）ティッシュボックスとペーパー押え板、並びに複数個のティッシュペーパー束を包装材により一体に包装して構成し、ボックス本体にティッシュペーパー束を補充するようにしたから、空になったボックス本体を廃棄していた無駄を省くことができ、省資源とコスト低減を図ることができる。
【図面の簡単な説明】
【００１３】
【図１】図１及び図２は本考案の第１の実施の形態に係り、図１はティッシュボックスとペーパー押え板の斜視図である。
【図２】ティッシュボックスの縦断面図である。
【図３】図３及び図４は第２の実施の形態に係り、図３はペーパー押え板の平面図である。
【図４】ティッシュボックスの平面図である。
【図５】第３の実施の形態に係るティッシュボックスの組合せ体の構成説明図である。
【考案を実施するための形態】
【００１４】
以下、本考案の第１の実施の形態を図１及び図２に基づいて詳述する。図において、１はティッシュボックス、２は該ティッシュボックス１を構成する厚紙製のボックス本体を示す。３は該ボックス本体２を構成する容器で、該容器３は縦横の比率が約２：１の長方形からなる底部３Ａと、該底部３Ａの長辺から起立する前後側部３Ｂ、３Ｂ及び短辺から起立する左右側部３Ｃ、３Ｃとから上方が開放した箱型に形成してある。
【００１５】
４は前記容器３の上方を覆う厚紙製の長方形の蓋部を示す。該蓋部４は中央にペーパー引出し口４Ａを開口させるための引出し口用切取り線４Ｂが横長楕円形に形成してあり、従来のティッシュボックスと同様に使用することができるようにしてある。５は前記蓋部４に形成した長方形の開口部で、該開口部５は蓋部４の外縁側に所望の幅の枠４Ｃを残すようにして形成した切離し用切取り線４Ｄから開口するようにしてある。
上述の如くボックス本体２は容器３と蓋部４と開口部５とから構成してあり、容器３及び蓋部４は従来のティッシュボックスと同様に１枚の厚紙を折り畳んで一体に成形してある。
【００１６】
６は前記開口部５から容器３内に挿嵌可能な大きさに設定した合成樹脂製のペーパー押え板で、該ペーパー押え板６の中央には横長楕円形のペーパー取出し口６Ａが形成してある。そして、ペーパー押え板６は例えば約７ｍｍの厚みの長方形の板体に形成することで所望の重量を持たせてある。
かくして、本実施の形態に係るティッシュボックス１はボックス本体２と、ペーパー押え板６と、ボックス本体２内に上下の一部を重ね、非圧縮状態で積層して収納したティッシュペーパー７とから構成してあり、ペーパー押え板６はボックス本体２と一体に包装して販売に供する。
【００１７】
次に、本実施の形態の作用について以下に説明する。ティッシュペーパー７の使用時には切離し用切取り線４Ｄから蓋部４の一部を切離して開口部５を形成し、該開口部５からペーパー押え板６をボックス本体2内に挿装し、ティッシュペーパー７上に載置する。ティッシュペーパー７は非圧縮状態で収納してあるから、ペーパー押え板６は容易に載置することができる。
【００１８】
そして、図２に示すように、ペーパー押え板６のペーパー取出し口６Ａからティッシュペーパー７を引出すが、ボックス本体２はペーパー押え板６の重量により浮き上がることなく安定しており、かつ非圧縮状態で積層してあるのでティッシュペーパー７を１枚毎確実に、素早く引き出すことができる。
【００１９】
次に、図３及び図４は第２の実施の形態を示す。なお、第１の実施の形態の構成要素と同一の構成要素には同一の符号を付して援用し、その説明を省略する。図において、１１は合成樹脂板からなるペーパー押え板で、該ペーパー押え板１１はボックス本体２の開口部５に挿脱可能な長方形に形成してあるが、横長楕円形のペーパー取出し口１１Ａはその長軸方向中心線イ−イをペーパー押え板１１の長軸方向中心線ロ−ロに対して傾斜させて形成してある。
【００２０】
本実施の形態によれば、ティッシュペーパー７はボックス本体２の長軸ハ−ハに沿って引き出されるが、ペーパー取出し口１１Ａもティッシュペーパー７との摩擦抵抗から同方向に倣うことから、ペーパー押え板１１はボックス本体２内で矢示ニ方向にペーパー取出し口１１Ａの傾斜分だけ回転し、外縁側１１Ｂがボックス本体２の枠４Ｃに係止するので、ティッシュペーパー７を引き出す際にペーパー押え板１１がボックス本体２から不用意に抜け出す事態を防止することができる。
【００２１】
なお、本考案において、ボックス本体２の開口部５の最小開口幅に対し、ペーパー押え板６は縦方向及び横方向のいずれかの幅を大きくし、かつペーパー取出し口６Ａはペーパー押え板６の長軸に対して傾斜させて形成することにより、開口部とペーパー押え板はデザイン化した多様な形状に形成することができ、しかもボックス本体２を確実に抑え込むことができる。
【００２２】
更に、図５は第３の実施の形態を示す。図において、２１は１個のティッシュボックス１とペーパー押え板６、並びに４個のティッシュペーパー束８、８、・・を包装フィルム２２で一体に包装して構成したティッシュボックス組合せ体を示す。このティッシュボックス組合せ体２１は、ボックス本体２内のティッシュペーパー７が無くなれば消費者がティッシュペーパー束８を補充してボックス本体２を再利用することができるので、消費者はごみの排出を少なくできるし、製造・販売者側も省資源化とコストの低減を図ることができる。
【符号の説明】
【００２３】
１      ティッシュボックス
２      ボックス本体
３      容器
４      蓋部
４Ａ    ペーパー引出し口
４Ｃ    枠
５      開口部
６、１１        ペーパー押え板
６Ａ、１１Ａ    ペーパー取出し口
７      ティッシュペーパー
８      ティッシュペーパー束
２１    ティッシュボックスの組合せ体
２２    包装フィルム
【図１】
0003188596.tif 000003
【図２】
0003188596.tif 000004
【図３】
0003188596.tif 000005
【図４】
0003188596.tif 000006
【図５】
0003188596.tif 000007